(57)【要約】【課題】映像データをサブ画素ごとに独立に補正することにより、液晶の応答速度の向上と高画質化とを共に実現する、表示パネルの駆動装置を提供する。【解決手段】本発明による駆動装置ではメモリが映像データをフレーム単位で貯蔵する。メモリコントロール部は現在のフレームの映像データをメモリに貯蔵する一方、そのメモリから直前のフレームの映像データを読み出し、現在のフレームの映像データと共に出力する。第１変換部は、メモリコントロール部から出力された現在のフレームの映像データを第１サブ映像データ及び第２サブ映像データの対に変換する。第２変換部はメモリコントロール部から出力された直前のフレームの映像データを第３サブ映像データ及び第４サブ映像データの対に変換する。第１補償部は第３サブ映像データを利用して第１サブ映像データを補償する。第２補償部は第４サブ映像データを利用して第２サブ映像データを補償する。【選択図】図２
2007286585.tif 000002
【特許請求の範囲】
【請求項１】
映像データをフレーム単位で順次貯蔵するメモリ、
現在のフレームに対応する第１映像データを外部から入力して前記メモリに貯蔵し、前記メモリから直前のフレームに対応する第２映像データを読み出し、現在のフレームで前記第１映像データと前記第２映像データとを出力するメモリコントロール部、
前記メモリコントロール部から出力された前記第１映像データを入力し、互いに異なる階調値を示す第１サブ映像データと第２サブ映像データとの対に変換して出力する第１変換部、
前記メモリコントロール部から出力された前記第２映像データを入力し、互いに異なる階調値を示す第３サブ映像データと第４サブ映像データとの対に変換して出力する第２変換部、
前記第３サブ映像データを利用して前記第１サブ映像データを補償し、第１補正映像データとして出力する第１補償部、
前記第４サブ映像データを利用して前記第２サブ映像データを補償し、第２補正映像データとして出力する第２補償部、及び、
前記第１補正映像データと前記第２補正映像データとが出力されるタイミングを制御する出力部、
を有する、表示パネルの駆動装置。
【請求項２】
前記第１サブ映像データが前記第２サブ映像データより高い階調値を示し、
前記第３サブ映像データが前記第４サブ映像データより高い階調値を示す、
請求項１に記載の駆動装置。
【請求項３】
前記映像データの示す階調値と電圧レベルとの間の関係が第１ガンマ曲線で表され、
前記第１サブ映像データの示す階調値と電圧レベルとの間の関係が、前記第１ガンマ曲線とは異なる第２ガンマ曲線で表され、
前記第２サブ映像データの示す階調値と電圧レベルとの間の関係が、前記第１ガンマ曲線と前記第２ガンマ曲線とのいずれとも異なる第３ガンマ曲線で表され、
同一の階調値では、前記第２ガンマ曲線、前記第１ガンマ曲線、及び前記第３ガンマ曲線の順に高い電圧レベルを示す、
請求項２に記載の駆動装置。
【請求項４】
前記映像データが第１階調値を示すとき、
前記第１サブ映像データが、前記第２ガンマ曲線上で前記第１階調値に対応する電圧レベルに前記第１ガンマ曲線上で対応する第２階調値、を示し、
前記第２サブ映像データが、前記第３ガンマ曲線上で前記第１階調値に対応する電圧レベルに前記第１ガンマ曲線上で対応する第３階調値、を示す、
請求項３に記載の駆動装置。
【請求項５】
前記第１補償部は、
前記第１サブ映像データに対応する電圧レベルと前記第３サブ映像データに対応する電圧レベルとの間の差が第１基準値以下であれば、前記第１補正映像データに対応する電圧レベルを前記第３サブ映像データに対応する電圧レベルと同一にし、
前記差が前記第１基準値より大きければ、前記第１補正映像データに対応する電圧レベルを前記第３サブ映像データに対応する電圧レベルより第１補正値だけ高くする、
請求項１に記載の駆動装置。
【請求項６】
前記第２補償部は、
前記第２サブ映像データに対応する電圧レベルと前記第４サブ映像データに対応する電圧レベルとの間の差が第２基準値以下であれば、前記第２補正映像データに対応する電圧レベルを前記第４サブ映像データに対応する電圧レベルと同一にし、
前記差が前記第２基準値より大きければ、前記第２補正映像データに対応する電圧レベルを前記第４サブ映像データに対応する電圧レベルより第２補正値だけ高くする、
請求項１に記載の駆動装置。
【請求項７】
前記出力部が前記第１補正映像データと前記第２補正映像データとを交互に出力する、請求項１に記載の駆動装置。
【請求項８】
映像データをフレーム単位で順次貯蔵するメモリ、
連続する二つのフレームのそれぞれに対応する映像データを外部から入力し、第１補正映像データと第２補正映像データとに順番に変換して出力するタイミングコントローラ、
外部から印加される電源電圧に応じてガンマ基準電圧を出力するガンマ基準電圧発生部、
前記ガンマ基準電圧に基づき、第１期間では前記第１補正映像データを第１データ電圧に変換して出力し、第２期間では前記第２補正映像データを第２データ電圧に変換して出力するデータ駆動部、
前記第１期間では第１ゲート信号を出力し、前記第２期間では第２ゲート信号を出力するゲート駆動部、並びに、
前記第１ゲート信号と前記第１データ電圧とが入力される第１サブ画素、及び前記第２ゲート信号と前記第２データ電圧とが入力される第２サブ画素、をそれぞれ含む複数の画素、を有する表示部、
を備えた表示装置であり、
前記タイミングコントローラが、
現在のフレームに対応する第１映像データを外部から入力して前記メモリに貯蔵し、前記メモリに貯蔵された直前のフレームに対応する第２映像データを読み出し、現在のフレームで前記第１映像データと前記第２映像データとを出力するメモリコントロール部、
前記メモリコントロール部から出力された前記第１映像データを入力し、互いに異なる階調値を示す第１サブ映像データと第２サブ映像データとの対に変換して出力する第１変換部、
前記メモリコントロール部から出力された前記第２映像データを入力し、互いに異なる階調値を示す第３サブ映像データと第４サブ映像データとの対に変換して出力する第２変換部、
前記第３サブ映像データに基づいて前記第１サブ映像データを補償し、前記第１補正映像データとして出力する第１補償部、
前記第４サブ映像データに基づいて前記第２サブ映像データを補償し、前記第２補正映像データとして出力する第２補償部、及び、
前記第１補正映像データと前記第２補正映像データとが出力されるタイミングを制御する出力部、
を有する、表示装置。
【請求項９】
前記第１サブ映像データが前記第２サブ映像データより高い階調値を示し、
前記第３サブ映像データが前記第４サブ映像データより高い階調値を示す、
請求項８に記載の表示装置。
【請求項１０】
前記表示部が、
１水平走査期間のうち、前記第１サブ画素が駆動される前半に前記第１ゲート信号が入力される第１ゲートライン、
１水平走査期間のうち、前記第２サブ画素が駆動される後半に前記第２ゲート信号が入力される第２ゲートライン、及び、
１水平走査期間の前半に前記第１データ電圧が入力され、後半に前記第２データ電圧が入力されるデータライン、
をさらに有する、請求項８に記載の表示装置。
【請求項１１】
前記第１サブ画素が、
前記第１ゲートラインと前記データラインとに電気的に接続され、前記第１ゲート信号に応じて前記第１データ電圧を出力する第１スイッチング素子、及び、
前記第１データ電圧を保持する第１液晶キャパシタ、
を含み、
前記第２サブ画素が、
前記第２ゲートラインと前記データラインとに電気的に接続され、前記第２ゲート信号に応じて前記第２データ電圧を出力する第２スイッチング素子、及び、
前記第２データ電圧を保持する第２液晶キャパシタ、
を含む、
請求項１０に記載の表示装置。
【請求項１２】
前記第１データ電圧が前記第２データ電圧より高い、請求項１１に記載の表示装置。
【発明の詳細な説明】
【技術分野】
【０００１】
本発明は表示装置に関し、特にそれに搭載される表示パネルの駆動装置に関する。
【背景技術】
【０００２】
一般に、液晶表示装置は陰極線管表示装置と比べ、薄型化には優れている反面、広視野角化や側面視認性には劣っている。液晶表示装置の更なる広視野角化を実現させる技術として、近年例えば、ＰＶＡ（Patterned  Vertical  Alignment）、ＭＶＡ（Multi−domain  Vertical  Alignment）、及びＳ−ＰＶＡ（Super−Patterned  Vertical  Alignment）が開発されている。特にＳ−ＰＶＡモードの液晶表示装置では、各画素が二つのサブ画素から成る。一つの画素に対して一つの階調が指定されるとき、その画素に含まれる二つのサブ画素のそれぞれに対しては互いに異なる電圧が印加される。それにより、その画素には互いに異なる輝度を示す二つのドメインが形成される。この時、液晶表示装置の画面を眺める人の目にはそれら二つのドメインの輝度の中間値が認識される。特に画面の側方では中程度の階調以下でのガンマ曲線の歪みが補償される。その結果、液晶表示装置の視野角が拡がり、更にその側面視認性が向上する。
【特許文献１】特開2001−264818号公報
【発明の開示】
【発明が解決しようとする課題】
【０００３】
近年、Ｓ−ＰＶＡモードの液晶表示装置には、液晶の応答の高速化を目的として、ＤＣＣ（Dynamic  Capacitance  Compensation）方式が採用されている。ＤＣＣ方式は、各画素の階調値を、現在のフレームでの目標値と直前のフレームでの階調値とを考慮して補正することにより、液晶の応答速度を更に高めている。従来のＤＣＣ方式による表示パネルの駆動装置は、外部から入力された各画素に対する階調値をまず補正し、その補正された階調値に基づき、各画素に含まれる二つのサブ画素に対する階調値の対を決定する。その場合、同じ画素に含まれる二つのサブ画素に対する階調値は同様に補正されている。しかし、厳密には、それら二つのサブ画素の間では最適な補正値が異なる。従って、ガンマ曲線の歪みを更に高精度で補償することが困難であるので、従来のＳ−ＰＶＡモードの液晶表示装置では液晶の応答速度の更なる向上や更なる高画質化がいずれも困難である。
本発明の目的は、映像データをサブ画素ごとに独立に補正することにより、液晶の応答速度の更なる向上と更なる高画質化とを共に実現可能な駆動装置、の提供にある。
【課題を解決するための手段】
【０００４】
本発明による表示パネルの駆動装置は、メモリ、メモリコントロール部、第１変換部、第２変換部、第１補償部、第２補償部、及び出力部を含む。メモリは映像データをフレーム単位で順次貯蔵する。メモリコントロール部は、現在のフレームに対応する第１映像データを外部から入力してメモリに貯蔵し、メモリから直前のフレームに対応する第２映像データを読み出し、現在のフレームで第１映像データと第２映像データとを出力する。第１変換部は、メモリコントロール部から出力された第１映像データを入力し、互いに異なる階調値を示す第１サブ映像データと第２サブ映像データとの対に変換して出力する。第２変換部は、メモリコントロール部から出力された第２映像データを入力し、互いに異なる階調値を示す第３サブ映像データと第４サブ映像データとの対に変換して出力する。第１補償部は、第３サブ映像データを利用して第１サブ映像データを補償し、第１補正映像データとして出力する。第２補償部は、第４サブ映像データを利用して第２サブ映像データを補償し、第２補正映像データとして出力する。出力部は、第１補正映像データと第２補正映像データとが出力されるタイミングを制御する。
【０００５】
本発明による表示装置は、メモリ、タイミングコントローラ、ガンマ基準電圧発生部、データ駆動部、ゲート駆動部、及び表示部を含む。メモリは映像データをフレーム単位で順次貯蔵する。タイミングコントローラは、連続する二つのフレームのそれぞれに対応する映像データを外部から入力し、第１補正映像データと第２補正映像データとに順番に変換して出力する。ガンマ基準電圧発生部は、外部から印加される電源電圧に応じてガンマ基準電圧を出力する。データ駆動部は、ガンマ基準電圧に基づき、第１期間では第１補正映像データを第１データ電圧に変換して出力し、第２期間では第２補正映像データを第２データ電圧に変換して出力する。ゲート駆動部は、第１期間では第１ゲート信号を出力し、第２期間では第２ゲート信号を出力する。表示部は複数の画素を有する。各画素は、第１ゲート信号と第１データ電圧とが入力される第１サブ画素、及び第２ゲート信号と第２データ電圧とが入力される第２サブ画素、を含む。タイミングコントローラは特に、本発明による上記の駆動装置と同様に構成され、同様に機能する。
【発明の効果】
【０００６】
本発明による上記の駆動装置及び表示装置は、外部から提供された映像データをまず、各画素に含まれる二つのサブ画素に対する第１サブ映像データと第２サブ映像データとの対に変換する。その後、第１サブ映像データと第２サブ映像データとを別々に補正し、第１補正映像データと第２補正映像データとの対に変換する。このように、第１サブ映像データと第２サブ映像データとのそれぞれが独立に補正されるので、第１サブ画素と第２サブ画素とのそれぞれに対して最適な補正映像データが提供される。その結果、ガンマ曲線の歪みが更に高精度で補償されるので、本発明による表示装置では従来の表示装置より、液晶の応答速度及び画質がいずれも更に向上する。
【０００７】
本発明による上記の駆動装置及び表示装置ではまた、映像データが、第１サブ映像データと第２サブ映像データとの対に変換される前にメモリに貯蔵される。それにより、本発明による表示装置では従来の表示装置とは異なり、サブ映像データごとにメモリを分ける必要がないので、表示装置に利用されるメモリの総数が削減可能である。
【発明を実施するための最良の形態】
【０００８】
以下、添付の図を参照して本発明の望ましい実施形態をより詳細に説明する。
図１は本発明の一実施形態による液晶表示装置のブロック図であり、図２は図１に示したタイミングコントローラの内部ブロック図である。図１に示されているように、本発明の一実施形態による液晶表示装置700は、表示部100、ゲート駆動部200、データ駆動部300、ガンマ基準電圧発生部400、タイミングコントローラ500、第１メモリ610、及び第２メモリ620を含む。
【０００９】
表示部100には表示パネルが含まれ、表示パネルには、ゲート電圧が入力される多数のゲートラインGL1〜GL2nと、データ電圧が入力される多数のデータラインDL1〜DLmとが具備されている。多数のゲートラインGL1〜GL2nと多数のデータラインDL1〜DLmとによって表示部100には多数の画素領域のマトリックスが区切られている。各画素領域には、第１サブ画素111及び第２サブ画素112から成る画素110が具備されている。第１サブ画素111は第１薄膜トランジスタTr1及び第１液晶キャパシタCLC1から成り、第２サブ画素112は第２薄膜トランジスタTr2及び第２液晶キャパシタCLC2から成る。
【００１０】
ゲート駆動部200は、表示部100に具備された多数のゲートラインGL1〜GL2nと電気的に接続され、それらのゲートラインGL1〜GL2nにゲート信号を提供する。データ駆動部300は、表示部100に具備された多数のデータラインDL1〜DLmと電気的に接続され、それらのデータラインDL1〜DLmに対して第１データ電圧または第２データ電圧を印加する。タイミングコントローラ500は、外部のグラフィックコントローラ（図１には示されていない）から映像データD−in及び各種の制御信号O−CSを入力する。タイミングコントローラ500は、映像データD−inを補償して第１補正映像データD−Hn’または第２補正映像データD−Ln’を出力する。また、タイミングコントローラ500は、各種の制御信号O−CS（例えば、垂直同期信号、水平同期信号、メインクロック、データイネーブル信号など）に基づき、第１制御信号CT1、第２制御信号CT2、及び第３制御信号CT3を出力する。
【００１１】
第１制御信号CT1はゲート駆動部200の動作を制御するための信号であり、ゲート駆動部200に提供される。第１制御信号CT1は、ゲート駆動部200に動作開始を指示するための垂直開始信号、ゲート電圧の出力タイミングを決めるためのゲートクロック信号、及びゲート電圧のオンパルス幅を決めるための出力イネーブル信号などを含む。ゲート駆動部200は、タイミングコントローラ500から入力した第１制御信号CT1に応じ、ゲート信号を複数のゲートラインGL1〜GL2nに順番に出力する。
【００１２】
第２制御信号CT2はデータ駆動部300の動作を制御するための信号であり、データ駆動部300に提供される。第２制御信号CT2は、データ駆動部300の動作開始を指示するための水平開始信号、データ電圧の極性を反転させるための反転信号、及びデータ駆動部300から第１データ電圧または第２データ電圧が出力されるタイミングを決めるための出力指示信号などを含む。データ駆動部300は、タイミングコントローラ500から入力した第２制御信号CT2に応じ、画素マトリックスの各行に第１補正映像データD−Hn’または第２補正映像データD−Ln'を交互に出力する。
【００１３】
ガンマ基準電圧発生部400は外部から電源電圧を入力し、タイミングコントローラ500から入力した第３制御信号CT3に応じてガンマ基準電圧VGMMAを生成する。データ駆動部300は、ガンマ基準電圧発生部400から入力したガンマ基準電圧VGMMAに基づき、第１サブ画素111を駆動すべき第１期間では第１補正映像データD−Hn’を第１データ電圧に変換して出力し、第２サブ画素112を駆動すべき第２期間では第２補正映像データD−Ln’を第２データ電圧に変換して出力する。ここで、好ましくは、第１データ電圧が第２データ電圧より高い。
【００１４】
図２に示されているように、タイミングコントローラ500は、変換部510、第１メモリコントロール部520、第２メモリコントロール部530、第１補償部540、第２補償部550、及び出力部560を含む。変換部510は外部から映像データD−inをフレーム単位で入力し、各フレームの映像データD−inを、互いに異なる階調値を示す第１サブ映像データD−Hn及び第２サブ映像データD−Lnの対に変換して出力する。より具体的には、第１サブ映像データD−Hnが第２サブ映像データD−Lnより高い階調値を示す。
【００１５】
第１メモリコントロール部520は、第１メモリ610から、あらかじめ貯蔵された直前のフレームの第１サブ映像データD−Hn−1を読み出す。一方、変換部510から提供された現在のフレームの第１サブ映像データD−Hnを第１メモリ610に貯蔵する。第２メモリコントロール部530は、第２メモリ620から、あらかじめ貯蔵された直前のフレームの第２サブ映像データD−Ln−1を読み出す。一方、変換部510から提供された現在のフレームの第２サブ映像データD−Lnを第２メモリ620に貯蔵する。ここで、第１メモリ610と第２メモリ620とはそれぞれ、映像データをフレーム単位で貯蔵するフレームメモリである。
【００１６】
第１補償部540は、直前のフレームの第１サブ映像データD−Hn−1に基づいて現在のフレームの第１サブ映像データD−Hnを補償し、第１補正映像データD−Hn’として出力する。特に、直前のフレームの第１サブ映像データD−Hn−1が対応する電圧レベルと、現在のフレームの第１サブ映像データD−Hnが対応する電圧レベルとの間の差が、あらかじめ設定された第１基準値より大きければ、第１補償部540は、現在のフレームの第１サブ映像データD−Hnに、あらかじめ設定された第１補正値α1を加えて第１補正映像データD−Hn’を生成する。一方、上記の差が第１基準値以下であれば、第１補償部540は、現在のフレームの第１サブ映像データD−Hnと同一の第１補正映像データD−Hn’を生成する。
【００１７】
第２補償部550は、直前のフレームの第２サブ映像データD−Ln−1に基づいて現在のフレームの第２サブ映像データD−Lnを補償し、第２補正映像データD−Ln’として出力する。特に、直前のフレームの第２サブ映像データD−Ln−1が対応する電圧レベルと、現在のフレームの第２サブ映像データD−Lnが対応する電圧レベルとの間の差が、あらかじめ設定された第２基準値より大きければ、第２補償部550は、現在のフレームの第２サブ映像データD−Lnに、あらかじめ設定された第２補正値α2を加えて第２補正映像データD−Ln’を生成する。一方、上記の差が第２基準値以下であれば、第２補償部550は、現在のフレームの第２サブ映像データD−Lnと同一の第２補正映像データD−Ln’を生成する。
【００１８】
出力部560は、第１補償部540から第１補正映像データD−Hn’を入力し、第２補償部550から第２補正映像データD−Ln’を入力する。出力部560は更に、第１サブ画素が駆動されるべき第１期間では第１補正映像データD−Hn’を出力し、第２サブ画素が駆動されるべき第２期間では第２補正映像データD−Ln’を出力する。
【００１９】
このように、本発明の一実施形態による液晶表示装置では、各フレームの映像データD−inがまず第１サブ映像データD−Hn及び第２サブ映像データD−Lnの対に変換され、その後に、第１サブ映像データD−Hn及び第２サブ映像データD−Lnのそれぞれが個別に補償され、第１補正映像データD−Hn’及び第２補正映像データD−Ln’の対に変換される。従って、第１サブ画素に最適な第１補正映像データD−Hn’が提供されると共に、第２サブ画素に最適な第２補正映像データD−Ln’が提供される。
【００２０】
図３は本発明の別の実施形態による液晶表示装置のブロック図であり、図４は図３に示されているタイミングコントローラの内部ブロック図である。尚、図３に示されている構成要素のうち、図１に示されている構成要素と同様な構成要素に対しては同一の参照符号を付記し、それらに対する具体的な説明については、図１に示されている構成要素の説明を援用する。
【００２１】
図３に示されているように、本発明の別の実施形態による液晶表示装置900は、表示部100、ゲート駆動部200、データ駆動部300、ガンマ基準電圧発生部400、タイミングコントローラ800、及びメモリ630を含む。図４に示されているように、タイミングコントローラ800は、メモリコントロール部810、第１変換部820、第２変換部830、第１補償部840、第２補償部850、及び出力部860を含む。
【００２２】
メモリコントロール部810は、現在のフレームに対応する映像データD−inを外部から入力する。メモリコントロール部810は、メモリ630から、あらかじめ貯蔵されている直前のフレームに対応する映像データD−in−1を読み出す。一方、現在のフレームに対応する映像データD−inをメモリ630に貯蔵する。それにより、メモリコントロール部810は各フレームについて、そのフレームの映像データD−inと直前のフレームの映像データD−in−1とを同時に出力する。
【００２３】
第１変換部820は、現在のフレームの映像データD−inを入力し、互いに異なる階調値を示す第１サブ映像データD−Hn及び第２サブ映像データD−Lnの対に変換して出力する。より具体的には、第１サブ映像データD−Hnは第２サブ映像データD−Lnより高い階調値を示す。第２変換部830は、直前のフレームの映像データD−in−1を入力し、互いに異なる階調値を示す第３サブ映像データD−Hn−1及び第４サブ映像データD−Ln−1の対に変換して出力する。より具体的には、第３サブ映像データD−Hn−1は第４サブ映像データD−Ln−1より高い階調値を示す。
【００２４】
第１補償部840は、第２変換部830から入力した第３サブ映像データD−Hn−1に基づき、第１変換部820から入力した第１サブ映像データD−Hnを補償し、第１補正映像データD−Hn’として出力する。特に、第３サブ映像データD−Hn−1が対応する電圧レベルと、第１サブ映像データD−Hnが対応する電圧レベルとの間の差が第１基準値より大きければ、第１補償部840は第１サブ映像データD−Hnに第１補正値α1を加えて第１補正映像データD−Hn’を生成する。一方、上記の差が第１基準値以下であれば、第１補償部840は第１サブ映像データD−Hnと同一の第１補正映像データD−Hn’を生成する。
【００２５】
第２補償部850は、第２変換部830から入力した第４サブ映像データD−Ln−1に基づき、第１変換部820から入力した第２サブ映像データD−Lnを補償し、第２補正映像データD−Ln’として出力する。特に、第４サブ映像データD−Ln−1が対応する電圧レベルと、第２サブ映像データD−Lnが対応する電圧レベルとの間の差が第２基準値より大きければ、第２補償部850は第２サブ映像データD−Lnに第２補正値α2を加えて第２補正映像データD−Ln’を生成する。一方、上記の差が第２基準値以下であれば、第２補償部850は第２サブ映像データD−Lnと同一の第２補正映像データD−Ln’を生成する。
【００２６】
出力部860は、第１補償部840から第１補正映像データD−Hn’を入力し、第２補償部850から第２補正映像データD−Ln’を入力する。出力部860は更に、第１サブ画素が駆動されるべき第１期間では第１補正映像データD−Hn’を出力し、第２サブ画素が駆動されるべき第２期間では第２補正映像データD−Ln’を出力する。
【００２７】
このように、本発明の別の実施形態による液晶表示装置では、各フレームの映像データD−inがまず第１サブ映像データD−Hn及び第２サブ映像データD−Lnの対に変換され、その後に、第１サブ映像データD−Hn及び第２サブ映像データD−Lnのそれぞれが個別に補償され、第１補正映像データD−Hn’ 及び第２補正映像データD−Ln’の対に変換される。従って、第１サブ画素に最適な第１補正映像データD−Hn’が提供されると共に、第２サブ画素に最適な第２補正映像データD−Ln’が提供される。また、タイミングコントローラ800は映像データD−inを、第１サブ映像データD−Hn及び第２サブ映像データD−Lnの対に変換する前に、まず、メモリ630に貯蔵する。従って、液晶表示装置900では、映像データD−inをフレーム単位で順次貯蔵するためのメモリが一つで十分であるので、液晶表示装置900に利用されるメモリの総数が削減される。
【００２８】
図５は、図４に示されている第１補償部の入力信号と出力信号とを示したグラフである。図６は、図４に示されている第２補償部の入力信号と出力信号とを示したグラフである。図５及び図６において、x軸は各フレームの期間を表し、y軸は各補償部の出力電圧の絶対値Vを表す。図５に示されている第１グラフG1は第１補償部840（図４参照）に入力された入力信号を示し、第２グラフG2は第１補償部840から出力された出力信号を示す。図６に示されている第３グラフG3は第２補償部850（図４参照）に入力される入力信号を示し、第４グラフG4は第２補償部850から出力された出力信号を示す。
【００２９】
第１グラフG1が示すように、第１補償部840に対する入力信号の電圧レベルが、n−2〜n−1番目のフレームでは2Vに維持され、n〜n＋3番目のフレームでは6Vに維持されている。例えば第１基準値があらかじめ3Vに設定されている場合、第２グラフG2が示すように、n番目のフレームの第１サブ映像データD−Hnが対応する電圧レベルと、n−1番目のフレームの第３サブ映像データD−Hn−1が対応する電圧レベルとの間の差4Vが第１基準値（3V）より大きい。従って、第１補償部840はn番目のフレームでは、第１サブ映像データD−Hnより第１補正値（例えば0.5V）だけ高い第１補正映像データD−Hn’を出力する。
【００３０】
一方、第３グラフG3が示すように、第２補償部850に対する入力信号の電圧レベルが、n−2〜n−1番目のフレームでは1Vに維持され、n〜n＋3番目のフレームでは4Vに維持されている。例えば第２基準値があらかじめ2Vに設定されている場合、第４グラフG4が示すように、n番目のフレームの第２サブ映像データD−Lnが対応する電圧レベルと、n−1番目のフレームの第４サブ映像データD−Ln−1が対応する電圧レベルとの間の差3Vが第２基準値（2V）より大きい。従って、第２補償部850はn番目のフレームでは、第２サブ映像データD−Lnより第２補正値（例えば0.5V）だけ高い第２補正映像データD−Ln’を出力する。ここで、第２基準値は第１基準値とは独立に設定可能であり、第２補正値は第１補正値とは独立に最適化可能である。
【００３１】
図７は、図３に示されている、第１データライン、第１ゲートライン、及び第２ゲートラインのそれぞれに対して印加される信号の波形図である。図７に示されているように、第１ゲートラインGL1に対して印加される第１ゲート信号は、１水平走査期間（1H）のうち、第１サブ画素が駆動される前半（H／2）でハイ状態に維持される。一方、第２ゲートラインGL2に対して印加される第２ゲート信号は、１水平走査期間（1H）のうち、第２サブ画素が駆動される後半（H／2）でハイ状態に維持される。第１薄膜トランジスタTr1は第１ゲート信号に応じ、第１データラインDL1に対して印加された第１データ電圧VHを第１液晶キャパシタCLC1に出力する。第２薄膜トランジスタTr2は第２ゲート信号に応じ、第１データラインDL1に対して印加された第２データ電圧VLを第２液晶キャパシタCLC2に出力する。ここで、第２データ電圧VLは第１データ電圧VHより低い。第１液晶キャパシタCLC1には第１データ電圧VHが保持され、第２液晶キャパシタCLC2には第２データ電圧VLが保持される。
【００３２】
図８は、映像データの示す各画素の階調と、その画素に含まれる第１サブ画素及び第２サブ画素のそれぞれに対して印加される電圧との間の関係を示したグラフである。図８では、x軸は階調値を表し、y軸は電圧レベルVを表す。図８において、第５グラフG5は映像データD−in（図４参照）の第１ガンマ曲線を示し、第６グラフG6は第１サブ映像データD−Hn（図４参照）の第２ガンマ曲線を示し、第７グラフG7は第２サブ映像データD−Ln（図４参照）の第３ガンマ曲線を示す。図８に示されているように、同一の階調値（例えば第１階調値Gray1）に対し、第２ガンマ曲線、第１ガンマ曲線、及び第３ガンマ曲線の順に電圧レベルが高い。
【００３３】
映像データD−inが第１階調値Gray1を示す場合、第１サブ映像データD−Hnの示すべき階調値が、第１階調値Gray1に第２ガンマ曲線G6上で対応する第１データ電圧VHと第１ガンマ曲線G5上で対応する第２階調値Gray2、に設定される（図８に示されている破線の矢印A1参照）。一方、第２サブ映像データD−Lnの示すべき階調値は、第１階調値Gray1に第３ガンマ曲線G7上で対応する第２データ電圧VLと第１ガンマ曲線G5上で対応する第３階調値Gray3、に設定される（図８に示されている一点鎖線の矢印A2参照）。従って、第１サブ画素に対しては第１データ電圧VHが印加され、第２サブ画素に対しては第２データ電圧VLが印加される。それにより、同じ画素に含まれる二つのサブ画素間では、階調と輝度との間の関係が異なる。特に、その画素に対して同一の階調が指定された場合、第１サブ画素の輝度は第２サブ画素の輝度より高い。この時、液晶表示パネルを眺める人の目には、第１データ電圧VHに対応する輝度と第２データ電圧VLに対応する輝度との中間値が認識される。その結果、特に液晶表示パネルの側方では、中程度の階調以下でのガンマ曲線の歪曲が補償される。こうして、視野角が更に拡大され、かつ側面視認性が向上する。
【００３４】
図９は、図１に示されている表示部に含まれる一つの画素を示す平面図である。図１０は、図９に示されている切断線Ｉ−Ｉ’に沿った断面図である。図９及び図１０に示されているように、表示部100（図３参照）は液晶表示パネルを含む。その液晶表示パネルは、互いに向かい合うアレイ基板120とカラーフィルタ基板130、及びアレイ基板120とカラーフィルタ基板130との間に挟まれている液晶層140から成る。
【００３５】
アレイ基板120の第１ベース121では、第１方向D1に延びている第１ゲートラインGL1と第２ゲートラインGL2、及び第１方向D1と直交する第２方向D2に延びている第１データラインDL1により、各画素領域が区切られている。各画素領域には、第１サブ画素と第２サブ画素とから成る画素が具備されている。特にアレイ基板120では、第１サブ画素が第１薄膜トランジスタTr1及び（第１液晶キャパシタCLC1の第１電極である）第１画素電極PE1を含み、第２サブ画素が第２薄膜トランジスタTR2及び（第２液晶キャパシタCLC2の第１電極である）第２画素電極PE2を含む。第１薄膜トランジスタTr1のゲート電極は第１ゲートラインGL1から分岐されている。第２薄膜トランジスタTr2のゲート電極は第２ゲートラインGL2から分岐されている。第１薄膜トランジスタTr1及び第２薄膜トランジスタTr2の各ソース電極はいずれも、第１データラインDL1から分岐されている。第１薄膜トランジスタTr1のドレイン電極は第１画素電極PE1に接続されている。第２薄膜トランジスタTr2のドレイン電極は第２画素電極PE2に接続されている。図１０に示されているように、アレイ基板120は更に、ゲート絶縁膜121、保護膜122、及び有機絶縁膜123を、第１画素電極PE1及び第２画素電極PE2の下に備え、それらの膜で第１ゲートラインGL1及び第２ゲートラインGL2をカバーしている。
【００３６】
カラーフィルタ基板130では、第２ベース131の上に、ブラックマトリックス132、カラーフィルタ層133、及び共通電極134が形成されている。ブラックマトリックス132は、第１ゲートラインGL1及び第２ゲートラインGL2が形成された領域を含む非有効表示領域に形成され、その領域からの漏れ光を防止する。カラーフィルタ層133は画素ごとに、レッド、グリーン、及びブルーのいずれかの色素を含み、液晶層140を通過した光を画素ごとに、上記三色のいずれかの色光に選別する。共通電極134はカラーフィルタ層133の上に形成され、第１液晶キャパシタCLC1及び第２液晶キャパシタCLC2の各第２電極として利用される。共通電極134では特に、第１画素電極PE1の中央部と対向する部分が除去され、第１開口部OP1が形成されている。同様に、第２画素電極PE2の中央部と対向する部分が除去され、第２開口部OP2が形成されている。その結果、各画素領域の液晶層140には、液晶分子141の配向方向が互いに異なる8個のドメインが形成される。各画素領域がそれら8個のドメインに分割されることにより、液晶表示パネルの視野角が更に拡大される。
【００３７】
以上、本発明の好ましい実施形態を説明した。しかし、当業者は特許請求の範囲に記載されている本発明の思想及び目的から逸脱しない範囲で、本発明の上記の実施形態を多様に修正し、及び変更できるであろう。従って、それらの修正や変更も当然に、本発明の技術的範囲に属すると解されるべきである。
【図面の簡単な説明】
【００３８】
【図１】本発明の一実施形態による液晶表示装置のブロック図
【図２】図１に示されているタイミングコントローラの内部ブロック図
【図３】本発明の他の実施形態による液晶表示装置のブロック図
【図４】図３に示されているタイミングコントローラの内部ブロック図
【図５】図４に示されている第１補償部の入力信号と出力信号とを示すグラフ
【図６】図４に示されている第２補償部の入力信号と出力信号とを示すグラフ
【図７】図３に示されている、第１データライン、第１ゲートライン、及び第２ゲートラインのそれぞれに対して印加される信号の波形図
【図８】本発明の実施形態による液晶表示装置について、映像データの示す各画素の階調値と、その画素に含まれる第１サブ画素及び第２サブ画素のそれぞれに対して印加される電圧との間の関係を示したグラフ
【図９】図１に示されている表示部に含まれる一つの画素の平面図
【図１０】図９に示されている切断線Ｉ−Ｉ’に沿った断面図
【符号の説明】
【００３９】
100  表示部
200  ゲート駆動部
300  データ駆動部
400  ガンマ基準電圧発生部
500  タイミングコントローラ
510  変換部
520  第１メモリコントロール部
530  第２メモリコントロール部
560  出力部
540  第１補償部
550  第２補償部
610  第１メモリ
620  第２メモリ
700  液晶表示装置
【図１】
2007286585.tif 000003
【図２】
2007286585.tif 000004
【図３】
2007286585.tif 000005
【図４】
2007286585.tif 000006
【図５】
2007286585.tif 000007
【図６】
2007286585.tif 000008
【図７】
2007286585.tif 000009
【図８】
2007286585.tif 000010
【図９】
2007286585.tif 000011
【図１０】
2007286585.tif 000012